(57)【要約】  持続的常時オンアプリケーションのデータセッションが確立されるホーム無線ネットワークからであるホーム信号のパラメータを閾値と比較することと、持続的常時オンアプリケーションをスロットルすることと、単一ＲＦチェーンを使用している第１の代替無線ネットワークからの持続的常時オンアプリケーションに受け入れ可能な第１の代替信号を取得することを試みることを具備するホーム無線ネットワークからのインター技術ハンドオフを容易にするための装置及び方法。
2011530233.tif 000002
【特許請求の範囲】
【請求項１】
ホーム無線ネットワークからのインター技術ハンドオフを容易にするための方法であって、
ホーム信号のパラメータを閾値と比較すること、前記ホーム信号が持続的常時オンアプリケーションの前記データセッションが確立される前記ホーム無線ネットワークからである、と、
前記持続的常時オンアプリケーションをスロットルすることと、
単一ＲＦチェーンを使用している第１の代替無線ネットワークから前記持続的常時オンアプリケーションに受け入れ可能な第１の代替信号を取得することを試みることと、
を具備する方法。
【請求項２】
前記閾値が、受信した信号レベル、受信した信号対ノイズ比、受信した干渉電力、全受信電力、経路損失、ビット誤り率、フレーム誤り率、またはパケット損失率の１つである請求項１記載の方法。
【請求項３】
前記第１の代替無線ネットワークが、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである第１のアクセス技術を使用する請求項１記載の方法。
【請求項４】
前記ホーム無線ネットワークが、前記第１のアクセス技術と異なる第２のアクセス技術を使用する請求項３記載の方法。
【請求項５】
前記第２のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項４記載の方法。
【請求項６】
前記ホーム信号を監視することをさらに具備している請求項１記載の方法。
【請求項７】
前記第１の代替信号が上手く取得されるかどうかを決定することをさらに具備する請求項１記載の方法。
【請求項８】
もし前記第１の代替信号が上手く取得されれば、前記第１の代替無線ネットワークからの前記持続的常時オンアプリケーションを継続することをさらに具備する請求項７記載の方法。
【請求項９】
もし前記第１の代替信号が上手く取得されなければ、取得される第２の代替信号を決定するために複数のアクセス技術を示しているリストを参照することをさらに具備する請求項７記載の方法。
【請求項１０】
ホーム無線ネットワークからのインター技術ハンドオフを容易にするための方法であって、
ホーム信号を監視すること、前記ホーム信号が持続的常時オンアプリケーションの前記データセッションが確立される前記ホーム無線ネットワークからである、と、
前記ホーム信号のパラメータと閾値を比較することと、
前記持続的常時オンアプリケーションをスロットルすることと、
複数のアクセス技術を示しているリストを参照することと、
前記持続的常時オンアプリケーションに受け入れ可能な代替信号を取得すること、前記代替信号が前記複数のアクセス技術の１つを使用している代替無線ネットワークからである、と
を具備する方法。
【請求項１１】
前記代替無線ネットワークから前記持続的常時オンアプリケーションを継続することをさらに具備する請求項１０記載の方法。
【請求項１２】
前記ホーム無線ネットワークが第１のアクセス技術を使用し、前記代替無線ネットワークが前記第１のアクセス技術と異なる第２のアクセス技術を使用し、前記第１のアクセス技術はＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線LANの１つであり、前記第２の技術はＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項１１記載の方法。
【請求項１３】
プロセッサ及びメモリを具備するユーザ装置であって、
前記メモリが、
ホーム信号のパラメータを閾値と比較すること、前記ホーム信号が持続的常時オンアプリケーションの前記データセッションが確立されるホーム無線ネットワークからである、と、
前記持続的常時オンアプリケーションをスロットルすることと、
単一ＲＦチェーンを使用している第１の代替無線ネットワークから前記持続的常時オンアプリケーションに受け入れ可能な第１の代替信号を取得することを試みることと
を実行するために前記プロセッサによって実行可能なプログラムコードを含んでいるユーザ装置。
【請求項１４】
前記閾値は、受信信号レベル、受信信号対ノイズ比、受信干渉電力、全受信電力、経路損失、ビット誤り率、フレーム誤り率、またはパケット損失率の１つである請求項１３記載のユーザ装置。
【請求項１５】
前記第１の代替無線ネットワークは、UMTS、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである第１のアクセス技術を使用する請求項１３記載のユーザ装置。
【請求項１６】
前記ホーム無線ネットワークは、前記第１のアクセス技術と異なる第２のアクセス技術を使用する請求項１５記載のユーザ装置。
【請求項１７】
前記第２のアクセス技術は、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項１６記載のユーザ装置。
【請求項１８】
前記メモリは、前記ホーム信号を監視するためのプログラムコードをさらに具備する請求項１３記載のユーザ装置。
【請求項１９】
前記メモリは、前記第１の代替信号が上手く取得されるかどうかを決定するためのプログラムコードをさらに具備する請求項１３記載のユーザ装置。
【請求項２０】
前記メモリが、もし前記第１の代替信号が上手く取得されれば、前記第１の代替無線ネットワークから前記持続的常時オンアプリケーションを継続するためのプログラムコードをさらに具備する請求項１９記載のユーザ装置。
【請求項２１】
前記メモリが、前記第１の代替信号が上手く取得されなかったら、第２の代替信号を決定するために複数のアクセス技術を示しているリストを参照するためのプログラムコードをさらに具備している請求項１９記載のユーザ装置。
【請求項２２】
プロセッサ及びメモリを具備するユーザ装置であって、
前記メモリが、
ホーム信号を監視すること、前記ホーム信号が持続的常時オンアプリケーションの前記データセッションが確立されるホーム無線ネットワークからである、と、
前記ホーム信号のパラメータを閾値と比較することと、
前記持続的常時オンアプリケーションをスロットルすることと、
複数のアクセス技術を示しているリストを参照することと、
前記持続的常時オンアプリケーションに受け入れ可能な代替信号を取得すること、前記代替信号が前記複数のアクセス技術の１つを使用している代替無線ネットワークからである、と
を実行するために前記プロセッサによって実行されることができるプログラムコードを含んでいるユーザ装置。
【請求項２３】
前記ホーム無線ネットワークは第１のアクセス技術を使用し、
前記代替無線ネットワークは前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、CDMA2000、EVDO、UMB、または無線ＬＡＮの１つである請求項２２記載のユーザ装置。
【請求項２４】
前記第２のアクセス技術がＵＭＴＳ、ＷＣＤＭＡ、ＧＳＭ（登録商標）、ＧＳＭ（登録商標）／GPRS／EDGE、LTE、IS−95、ＣＤＭＡ２０００、ＥＶＤＯ、ＵＭＢ、または無線ＬＡＮの１つである請求項２３記載のユーザ装置。
【請求項２５】
ホーム無線ネットワークからインター技術ハンドオフを容易にするための通信装置であって、
ホーム信号のパラメータを閾値と比較するための手段、前記ホーム信号が持続的常時オンアプリケーションの前記データセッションが確立される前記ホーム無線ネットワークからである、と、
前記持続的常時オンアプリケーションをスロットルするための手段と、
単一ＲＦチェーンを使用している第１の代替無線ネットワークから前記持続的常時オンアプリケーションに受け入れ可能な第１の代替信号を取得することを試みるための手段と
を具備する通信装置。
【請求項２６】
前記閾値が、受信した信号レベル、受信した信号対ノイズ比、受信した干渉電力、全受信電力、経路損失、ビット誤り率、フレーム誤り率、またはパケット損失率の１つである請求項２５記載の通信装置。
【請求項２７】
前記第１の代替無線ネットワークが第１のアクセス技術を使用し、
前記ホーム無線ネットワークが前記第１のアクセス技術と異なる第２のアクセス技術を使用し、
前記第２の代替無線ネットワークは、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである第１のアクセス技術を使用する請求項２５記載の通信装置。
【請求項２８】
前記第１の代替信号が上手く取得されたかどうかを決定するための手段をさらに具備する請求項２５記載の通信装置。
【請求項２９】
もし前記第１の代替信号が上手く取得されたならば、前記第１の代替無線ネットワークから持続的常時オンアプリケーションを継続するための手段をさらに具備する請求項２８記載の通信装置。
【請求項３０】
もし前記第１の代替信号が上手く取得されなかったならば、第２の代替信号を取得することを決定するための複数のアクセス技術を示しているリストを参照するための手段をさらに具備する請求項２８記載の通信装置。
【請求項３１】
ホーム無線ネットワークからのインター技術ハンドオフを容易にするための通信装置であって、
ホーム信号を監視するための手段、前記ホーム信号は持続的常時オンアプリケーションの前記データセッションが確立される前記ホーム無線ネットワークからである、と、
前記ホーム信号のパラメータを閾値と比較するための手段と、
前記持続的常時オンアプリケーションをスロットルするための手段と、
複数のアクセス技術を示しているリストを参照するための手段と、
前記持続的常時オンアプリケーションに受け入れ可能な代替信号を取得するための手段、前記代替信号は前記複数のアクセス技術の１つを使用している代替無線ネットワークからである、と
を具備する通信装置。
【請求項３２】
前記ホーム無線ネットワークが第１のアクセス技術を使用し、
前記代替無線ネットワークが前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つであり、
前記第２のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項３１記載の通信装置。
【請求項３３】
格納されるプログラムコードを含んでいるコンピュータ読取可能な媒体であって、
ホーム信号のパラメータを閾値と比較するためのプログラムコード、前記ホーム信号は持続的常時オンアプリケーションの前記データセッションが確立されるホーム無線ネットワークからである、と、
前記持続的常時オンアプリケーションをスロットルするためのプログラムコードと、
単一ＲＦチェーンを使用している第１の代替無線ネットワークから前記持続的常時オンアプリケーションに受け入れ可能な第１の代替信号を取得することを試みるためのプログラムコードと
を具備するコンピュータ読取可能な媒体。
【請求項３４】
前記閾値が、受信した信号レベル、受信した信号対ノイズ比、受信した干渉電力、全受信電力、経路損失、ビット誤り率、フレーム誤り率、またはパケット損失率の１つである請求項３３記載のコンピュータ読取可能な媒体。
【請求項３５】
前記ホーム無線ネットワークが第１のアクセス技術を使用し、
前記代替無線ネットワークが前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである
請求項３３記載のコンピュータ読取可能な媒体。
【請求項３６】
前記ホーム信号を監視するためのプログラムコードをさらに具備する請求項３３記載のコンピュータ読取可能な媒体。
【請求項３７】
前記第１の代替信号が上手く取得されたかどうかを決定するためのプログラムコードをさらに具備する請求項３３記載のコンピュータ読取可能な媒体。
【請求項３８】
もし前記第１の代替信号が上手く取得されれば、前記第１の代替無線ネットワークから前記持続的常時オンアプリケーションを継続するためのプログラムコードをさらに具備する請求項３７記載のコンピュータ読取可能な媒体。
【請求項３９】
もし前記第１の代替信号が上手く取得されなかったならば、第２の代替信号を取得することを決定するための複数のアクセス技術を示しているリストを参照するためのプログラムコードをさらに具備する請求項３７記載のコンピュータ読取可能な媒体。
【請求項４０】
格納されたプログラムコードを含んでいるコンピュータ読取可能な媒体であって、
ホーム信号を監視するためのプログラムコード、前記ホーム信号が、持続的常時オンアプリケーションの前記データセッションが確立されるホーム無線ネットワークからである、と
前記ホーム信号のパラメータを閾値と比較するためのプログラムコードと、
前記持続的常時オンアプリケーションをスロットルするためのプログラムコードと、
複数のアクセス技術を示しているリストを参照するためのプログラムコードと、
前記持続的常時オンアプリケーションに受け入れ可能な代替信号を取得するためのプログラムコード、前記代替信号が前記複数のアクセス技術の１つを使用している代替無線ネットワークからである、と
を具備するコンピュータ読取可能な媒体。
【請求項４１】
前記ホーム無線ネットワークが第１のアクセス技術を使用し、
前記代替無線ネットワークが前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線LANの１つであり、
前記第２のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項４０記載のコンピュータ読取可能な媒体。
【発明の詳細な説明】
【技術分野】
【０００１】
この開示は持続的常時オンアプリケーションに関する装置及び方法に一般的に関連する。さらに特に、開示はインター技術ハンドオフを容易にする持続的常時オンアプリケーションをスロットルすることに関連する。
【背景技術】
【０００２】
無線持続的常時オンアプリケーションはモバイル装置またはユーザ装置(ＵＥ)が常にいくつかのホストから到達可能でなければならない時、典型的に必要とされる。無線アプリケーションはＵＥからの速い応答を必要とするかもしれない、だからＵＥはホーム無線ネットワークで持続的に登録され認証される。例えば、携帯電話着接続は不規則に開始されるかもしれない。
【０００３】
持続的常時オンアプリケーションで、ホーム無線ネットワークはリンクが中断される時はいつもＵＥとアクセスノード間の無線リンクを直ぐに再確立することを試みる。多くの要因、例えば伝播環境による信号減衰または限界条件による弱信号レベルなど、がＵＥとアクセスノード間のリンクを中断できる。リンクは中断されるけれども、代替無線アクセス技術を使用している代替無線ネットワークが利用可能であるかもしれない。しかしながら、その持続的常時オンアプリケーションを伴ったＵＥはそのリンクをそのホーム無線ネットワークと再接続することを試み続けるだろうため、ＵＥは代替無線ネットワークに接続できない。したがって、ＵＥは代替無線ネットワークの有用性を利用できない。
【発明の概要】
【０００４】
開示されることは、単一ＲＦチェーンを使用しているインター技術ハンドオフを容易にするための持続的常時オンアプリケーションをスロットルするための装置及び方法である。１つの側面に従って、ホーム無線ネットワークからのインター技術ハンドオフを容易にするための方法が、持続的常時オンアプリケーションのデータセッションが確立されるホーム無線ネットワークからのホーム信号のパラメータを閾値と比較することと、持続的常時オンアプリケーションをスロットすることと、単一ＲＦチェーンを使用している第１の代替無線ネットワークからからの持続的常時オンアプリケーションに受け入れ可能である第１の代替信号を取得することを試みることを具備する。
【０００５】
他の側面に従って、ホーム無線ネットワークからのインター技術ハンドオフを容易にするための方法が、持続的常時オンアプリケーションのデータセッションが確立されるホーム無線ネットワークからであるホーム信号を監視することと、ホーム信号のパラメータを閾値と比較することと、持続的常時オンアプリケーションをスロットルすることと、複数のアクセス技術を示しているリストを参照することと、複数のアクセス技術の１つを使用している代替無線ネットワークからであり、持続的常時オンアプリケーションに受け入れ可能な代替信号を取得することを具備している。
【０００６】
他の側面に従って、ユーザ装置はプロセッサ及びメモリを具備しており、そのメモリは次のことを行うためにプロセッサによって実行されることができるプログラムコードを含んでいる。次のこととは、持続的常時オンアプリケーションのデータセッションが確立されるホーム無線ネットワークからであるホーム信号のパラメータを閾値と比較することと、持続的常時オンアプリケーションをスロットルすることと、単一ＲＦチェーンを使用している第１の代替無線ネットワークから持続的常時オンアプリケーションに受け入れ可能な第１の代替信号を取得することを試みることである。
【０００７】
他の側面に従って、ユーザ装置はプロセッサ及びメモリを具備しており、そのメモリは次のことを行うためにプロセッサによって実行可能なプログラムコードを含んでいる。次のこととは、持続的常時オンアプリケーションのデータセッションが確立されるホーム無線ネットワークからのホーム信号を監視することと、ホーム信号のパラメータを閾値と比較することと、持続的常時オンアプリケーションをスロットルすることと、複数のアクセス技術の１つを使用している代替無線ネットワークからであり、持続的常時オンアプリケーションに受け入れ可能な代替信号を取得することである。
【０００８】
他の側面に従って、ホーム無線ネットワークからのインター技術ハンドオフを容易にするための通信装置が、持続的常時オンアプリケーションのデータセッションが確立されるホーム無線ネットワークからのホーム信号のパラメータを閾値と比較するための手段と、持続的常時オンアプリケーションをスロットルするための手段と、単一ＲＦチェーンを使用している第１の代替無線ネットワークから持続的常時オンアプリケーションに受け入れ可能な第１の代替信号を取得することを試みるための手段を具備する。
【０００９】
他の側面に従って、ホーム無線ネットワークからのインター技術ハンドオフを容易にするための通信装置が、持続的常時オンアプリケーションのデータセッションが確立されるホーム無線ネットワークからのホーム信号を監視するための手段と、ホーム信号のパラメータを閾値と比較するための手段と、持続的常時オンアプリケーションをスロットルするための手段と、複数のアクセス技術を示しているリストを参照するための手段と、複数のアクセス技術の１つを使用している代替無線ネットワークからであり、持続的常時オンアプリケーションに受け入れ可能な代替信号を取得するための手段を具備する。
【００１０】
他の側面に従って、格納されたプログラムコードを含んでいるコンピュータ読取可能な媒体が、持続的常時オンアプリケーションのデータセッションが確立されるホームネットワークからであるホーム信号のパラメータを閾値と比較するためのプログラムコードと、持続的常時オンアプリケーションをスロットルするためのプログラムコードと、単一ＲＦチェーンを使用している第１の代替無線ネットワークから持続的常時オンアプリケーションに受け入れ可能な第１の代替信号を取得することを試みるためのプログラムコードを具備する。
【００１１】
他の側面に従って、格納されたプログラムコードを含んでいるコンピュータ読取可能な媒体が、持続的常時オンアプリケーションのデータセッションが確立されるホーム無線ネットワークからであるホーム信号を監視するためのプログラムコードと、ホーム信号のパラメータを閾値と比較するためのプログラムコードと、持続的常時オンアプリケーションをスロットルするためのプログラムコードと、複数のアクセス技術を示しているリストを参照するためのプログラムコードと、代替無線ネットワークからであり、持続的常時オンアプリケーションに受け入れ可能な代替信号を取得するためのプログラムコードを具備する。
【００１２】
本開示の利点は、単一ＲＦチェーンを使用しているインター技術ハンドオフ、能力がより強い信号で他の利用可能なネットワークを取得し、持続的常時オンアプリケーションに関して無線受信地域を改善することを可能とすることを含む。
【００１３】
他の側面は図によって様々な側面を示され及び記述される、次の詳細な記述から当業者にはすでに明らかになるだろうということと理解されるだろう。
【図面の簡単な説明】
【００１４】
【図１】図１は、アクセスノード/ユーザ装置（ＵＥ）システム例を例証しているブロック図である。
【図２】図２は、ホーム無線ネットワークでアクセスノードと通信するユーザ装置(ＵＥ)の例を示す。
【図３】図３は、単一ＲＦチェーンを使用しているインター技術ハンドオフを容易にするために、持続的常時オンアプリケーションをスロットルするためのフロー図例を示す。
【図４】図４は、単一ＲＦチェーンを使用しているインター技術ハンドオフを容易にするために、持続的常時オンアプリケーションのスロットルを実行するためのメモリと通信するプロセッサを具備する装置の１例を示す。
【図５】図５は、単一ＲＦチェーンを使用しているインター技術ハンドオフを容易にするために、持続的常時オンアプリケーションをスロットルするのに適した装置の１例を示す。
【発明を実施するための形態】
【００１５】
添付した図と関連して以下で説明される詳細な記述は本開示の様々な側面の記述として意図され、本開示が実施されるかもしれない唯一の側面を表すことを意図しない。この開示の中に記述された各々の側面は、本開示の例示または例として単に提供され、他の側面について好適または利点として必ずしも解釈されるべきでない。詳細な記述は本開示の理解を通して提供するために特定の詳細を含む。しかしながら、本開示がこれらの特定の詳細なしに実施されるかもしれないことは当業者には明らかだろう。いくつかの例で、周知の構造及び装置は本開示の概念を不明瞭にすることを避けるために、ブロック図で示される。頭字語及び他の記述的な用語が利便性及び明瞭化のためにだけに使用されるかもしれないし、開示の範囲を限定する意図ではない。
【００１６】
説明の簡略化のために、方法が示され一連の行為として記述される一方で、いくつかの行為が１つ以上の側面に従ってこの中に示され及び記述されるものと異なる順序で、及び/または他の行為と同時に生じるかもしれない時、方法は行為の順序によって限定されないということは理解されるべきであり評価されるべきである。例えば、当業者は方法が状態図のような一連の相関する状態または事象として代わりに表され得るということは理解されるだろうし評価されるだろう。さらに、全ては例証されていない行為が１つ以上の側面にしたがって方法を実行することを必要とされるかもしれない。
【００１７】
図１はアクセスノード/ユーザ装置（ＵＥ）システム１００例を例証しているブロック図である。当業者は図１に例証されるアクセスノード/ＵＥシステム１００例は、ＦＤＭＡ環境、ＯＦＤＭＡ環境、ＣＤＭＡ環境、WCDMA環境、ＴＤＭＡ環境、ＳＤＭＡ環境、または他の適切な無線環境で実施されるかもしれないということを理解するだろう。
【００１８】
アクセスノード/ＵＥシステム１００はアクセスノードＡ１１０１（別称、基地局）及びユーザ装置またはユーザ装置２０１（別称、無線通信装置）を含む。ダウンリンク行程で、アクセスノードＡ１１０１（別称、基地局）は、トラフィックデータを受け入れ、フォーマットし、コード化し、インターリーブし、変調（またはシンボルマップ）し、変調シンボル（別称、データシンボル）を提供する送信（ＴＸ）データ処理Ａ１１０を含む。ＴＸデータプロセッサＡ１１０はシンボル変調器Ａ１２０と通信する。シンボル変調器Ａ１２０はデータシンボル及びダウンリンクパイロットシンボルを受け入れ処理し、シンボルのストリームを提供する。１つの側面で、シンボル変調器Ａ１２０は設定情報を提供するプロセッサＡ１８０と通信する。シンボル変調器Ａ１２０は送信器ユニット（ＴＭＴＲ）Ａ１３０と通信する。シンボル変調器Ａ１２０はデータシンボル及びダウンリンクパイロットシンボルを多重化し、それらを送信器ユニットＡ１３０に提供する。
【００１９】
送信された各々のシンボルは、ゼロの信号値、ダウンリンクパイロットシンボル、またはデータシンボルであるかもしれない。ダウンリンクパイロットシンボルは各々のシンボル期間で連続的に送信されるかもしれない。１つの側面で、ダウンリンクパイロットシンボルは周波数分割多重化（ＦＤＭ）である。他の側面で、ダウンリンクパイロットシンボルは直交周波数分割多重（ＯＦＤＭ）である。さらに他の側面で、ダウンリンクパイロットシンボルは符号分割多重化（ＣＤＭ）である。１つの側面で、無線送信に適したアナログダウンリンク信号を生成するために、送信器ユニットＡ１３０はシンボルのストリームを受信し、１つ以上のアナログ信号に変換し、さらにアナログ信号を調節する、例えば増幅し、フィルターし、及び/または周波数アップコンバートする。アナログダウンリンク信号はアンテナ１４０を通して送信される。
【００２０】
ダウンリンク行程で、ＵＥ２０１はアナログダウンリンク信号を受信し、受信ユニット（ＲＣＶＲ）Ｂ２２０にアナログダウンリンク信号を入力するためのアンテナ２１０を含む。１つの側面で、受信器ユニットＢ２２０はアナログダウンリンク信号を調整する、例えばフィルターし、増幅し、及び第１の“調整された”信号に周波数アップコンバートする。第１の“調整された”信号がサンプルされる。受信器ユニットＢ２２０はシンボル復調器Ｂ２３０と通信する。シンボル復調器Ｂ２３０は受信器ユニットＢ２２０から出力される“サンプルされた”信号（別称、データシンボル）及び第１の“調整された”信号を復調する。当業者は代替がシンボル復調器Ｂ２３０でサンプリングプロセスを実行するということを理解するだろう。シンボル復調器Ｂ２３０はプロセッサＢ２４０と通信する。プロセッサＢ２４０はシンボル復調器Ｂ２３０からダウンリンクパイロットシンボルを受信し、ダウンリンクパイロットシンボルでチャネル推定を行う。１つの側面で、チャネル推定は現在の伝播環境を特徴づけするプロセスである。シンボル復調器Ｂ２３０はプロセッサＢ２４０からダウンリンク行程に関する周波数応答を受信する。シンボル復調器Ｂ２３０はダウンリンク経路でデータシンボル推定を得るために、データシンボルでデータ復調を行う。ダウンリンク経路でデータシンボル推定は送信されたデータシンボルの推定である。シンボル復調器Ｂ２３０はＲＸデータプロセッサＢ２５０とも通信する。
【００２１】
ＲＸデータプロセッサＢ２５０はシンボル復調器Ｂ２３０からダウンリンク経路でデータシンボル推定を受信し、トラフィックデータを回復するためにダウンリンク経路でデータシンボル推定を復調（すなわち、シンボルデマップ）、インターリーブ、及び/または復号化する。１つの側面で、シンボル復調器Ｂ２３０及びＲＸデータプロセッサＢ２５０によって処理されることは、シンボル変調器Ａ１２０及びＴＸデータプロセッサＡ１１０の各々によって処理することと相補的である。
【００２２】
アップリンク行程で、ＵＥ２０１はＴＸデータプロセッサＢ２６０を含む。ＴＸデータプロセッサＢ２６０はデータシンボルを出力するトラフィックデータを受け入れ処理する。ＴＸデータプロセッサＢ２６０はシンボル変調器Ｄ２７０と通信する。シンボル変調器Ｄ２７０はデータシンボルを受け入れアップリンクパイロットシンボルと多重化し、変調を行い、そしてシンボルのストリームを提供する。１つの側面で、シンボル変調器Ｄ２７０は設定情報を提供するプロセッサＢ２４０と通信する。シンボル変調器Ｄ２７０は送信器ユニットＢ２８０と通信する。
【００２３】
送信された各々のシンボルはデータシンボル、アップリンクパイロットシンボルまたはゼロの信号値であるかもしれない。アップリンクパイロットシンボルは各々のシンボル期間で連続的に送信されるかもしれない。１つの側面で、アップリンクパイロットシンボルは周波数分割多重化（ＦＤＭ）である。他の側面で、アップリンクパイロットシンボルは直交周波数分割多重（OFDM）である。さらに他の側面で、アップリンクパイロットシンボルは符号分割多重化（ＣＤＭ）である。１つの側面で、無線送信に適したアナログアップリンク信号を生成するために、送信器ユニットＢ２８０はシンボルのストリームを受信し、１つ以上のアナログ信号に変換し、さらにアナログ信号を調節する、例えば増幅し、フィルターし、及び/または周波数アップコンバートする。アナログアップリンク信号はアンテナ２１０を通して送信される。
【００２４】
ＵＥ２０１からのアナログアップリンク信号は、サンプルを得るために、アンテナ１４０によって受信され、受信器ユニットＡ１５０によって処理される。１つの側面で、受信器ユニットＡ１５０はアナログアップリンク信号を調節する、例えばフィルターし、増幅し、及び第２の“調整された”信号に周波数ダウンコンバートする。第２の“調整された”信号がサンプルされる。受信器ユニットＡ１５０はシンボル復調Ｃ１６０と通信する。当業者は代替がシンボル復調器Ｃ１６０でサンプリング処理を実行することであるということを理解するだろう。シンボル復調器Ｃ１６０はアップリンク経路でデータシンボル推定を得るために、データシンボルでデータ復調を行い、ＲＸデータプロセッサＡ１７０にアップリンク経路でデータシンボル推定及びアップリンクパイロットシンボルを提供する。アップリンク経路上のデータシンボル推定は送信されたデータシンボルの推定である。ＲＸデータプロセッサＡ１７０は無線通信装置２０１によって送信されたトラフィックデータを回復するために、アップリンク経路でデータシンボル推定を処理する。シンボル復調器Ｃ１６０はプロセッサＡ１８０とも通信する。プロセッサＡ１８０はアップリンク行程で送信されている各々のアクティブ端末に関するチャネル推定を行う。１つの側面で、多数の端末が、パイロットサブバンドセットがインタレースされる指定されたパイロットサブバンドの各々で、アップリンク行程でパイロットシンボルを同時に送信するかもしれない。
【００２５】
プロセッサＡ１８０及びプロセッサＢ２４０はアクセスノードＡ１１０１（別称、基地局）及びＵＥ２０１の各々での操作を指示する（すなわち、制御、調整または管理など）。１つの側面で、プロセッサＡ１８０及びプロセッサＢ２４０のどちらかまたは両方がプログラムコード及び/またはデータの格納のために（図示しない）１つ以上のメモリユニットと関連付けされる。１つの側面で、プロセッサＡ１８０またはプロセッサＢ２４０のどちらかまたは両方、または両方は、それぞれアップリンク行程及びダウンリンク行程に関して周波数応答推定及びインパルス応答推定を求めるための計算を行う。
【００２６】
１つの側面で、アクセスノード/ＵＥシステム１００はマルチアクセスシステムである。マルチアクセスシステム（例えば、ＦＤＭＡ、ＯＦＤＭＡ、ＣＤＭＡ、ＴＤＭＡ、ＳＤＭＡなど）に関して、多数の端末がアップリンク行程で同時に送信する。１つの側面で、多重アクセスシステムに関して、パイロットサブチャネルは異なる端末間で共有されるかもしれない。チャネル推定技術は各々の端末に関するパイロットサブチャネルが（できる限り帯域の端を除いて）全体の帯域に及ぶ場合に使われる。このようなパイロットサブチャネル構造は各々の端末に関する周波数ダイバーシティを得るのに望ましい。
【００２７】
図２は、ホーム無線ネットワークのアクセスノードＡ１１０１と通信するユーザ装置(ＵＥ)２０１の例を示す。ＵＥ２０１はホーム無線ネットワークから持続的常時オンアプリケーションと通信する。ＵＥ２０１は図１で示されるような信号を受信し送信する単一ＲＦチェーンを含む。持続的常時オンアプリケーションの特性はホーム無線ネットワークからのホーム信号が弱い時でさえ、連続的に使用される単一ＲＦチェーンを必要とする。さらに、ホーム無線ネットワークからのホーム信号が、例えば減衰のためにドロップされた時でさえ、単一ＲＦチェーンはホーム無線ネットワークからのホーム信号を再取得することを試みる。弱いホーム信号を使用するための、またはホーム無線ネットワークからホーム信号を再取得するための単一ＲＦチェーンによる連続する試みは、たとえ代替信号がホーム信号よりも強くても代替無線ネットワーク内のアクセスノードＡ２１０２から代替信号をＵＥ２０１が取得することを妨げる。しかしながら、ホーム信号がドロップされた時持続的常時オンアプリケーションをスロットルすることによって、単一ＲＦチェーンを使用しているＵＥ２０１はホーム信号を置き換えるために、代替無線ネットワークから代替信号を取得しようと試みる。ＵＥ２０１は代替無線ネットワークからの代替信号を通して持続的常時オンアプリケーションとこれから通信する。
【００２８】
１つの側面で、ＵＥ２１０内のシンボル復調器Ｂ２３０はホーム信号または代替信号のどちらかを復調するように再構成可能である。他の側面で、ＵＥ２０１は２つのシンボル復調器を具備し、一方はホーム信号と互換性があり、他方は代替信号と互換性がある。ホーム無線ネットワークまたは代替無線ネットワークのアクセス技術は、ＵＭＴＳ（ユニバーサル・モバイル・テレコミュニケーション・システム）、ＷＣＤＭＡ（広帯域符号分割多元接続）、ＧＳＭ（登録商標）（モバイル通信に関するグローバルシステム）、ＧＳＭ（登録商標）／ＧＰＲＳ（汎用パケット無線システム／ＥＤＧＥ（ＧＳＭエボリューションに関するエンハンスドデータレート））、ＬＴＥ（ロング・ターム・エボリューション）、ＩＳ−９５（暫定基準９５）、ＣＤＭＡ２０００、ＥＶＤＯ（エボリューション・データ・オプティマイズド）、ＵＭＢ（ウルトラ・モバイル・ブロードバンド）、または無線ＬＡＮなどであるかもしれない。当業者はアクセス技術のリストが排他的ではなく、他のアクセス技術が本開示の精神または範囲に影響することなく使用されるかもしれないということを理解するだろう。
【００２９】
図３は単一ＲＦチェーンを使用しているインター技術ハンドオフを容易にする持続的常時オンアプリケーションをスロットルするためのフロー図例を示す。ブロック３１０で持続的常時オンアプリケーションに関してホーム無線ネットワーク（別称ホームネットワーク）でパケットデータセッションを確立する。持続的常時オンアプリケーションはホーム無線ネットワークでサービスを取得する時に直ぐにパケットデータセッションを開始する。１つの側面で、ホーム信号は持続的常時オンアプリケーションのデータセッションが確立されるホーム無線ネットワークからである。ブロック３１０の次にブロック３２０に進む。ブロック３２０で、ホームネットワーク（すなわち、ホーム信号）からのアンテナで観測された信号レベルを監視する。ブロック３３０でホーム信号のパラメータを閾値と比較する。１つの側面で、ホーム信号のパラメータ及び閾値の例は受信した信号レベル、受信した信号対ノイズ比、受信した干渉電力、全受信電力、経路損失、ビット誤り率、フレーム誤り率またはパケット損失率である。当業者は閾値及びホーム信号パラメータがシステム、アプリケーション、オペレータ選択、設計制約、または本開示の精神及び範囲に影響することなくその組み合わせに基づいて選択され得るということを理解するだろう。
【００３０】
ブロック３３０で、もしホーム信号パラメータが閾値よりも大きいまたは等しいならば、ホーム信号を監視し続けるためにブロック３２０に戻る。もしホーム信号パラメータが閾値よりも小さいならば、ブロック３４０に進む。当業者はホーム信号パラメータ及び閾値の例（例えば、ビット誤り率などの）に依存するために、閾値比較が逆極性コンベンションを必要とするかもしれないということを理解するだろう。ブロック３４０で持続的常時オンアプリケーションをスロットルする。持続的常時オンアプリケーションをスロットルすることがホームネットワーク内の任意の相互作用なしにＵＥ内で内部に発生する。１つの側面で、スロットルすることは持続的常時オンアプリケーションを制御し、より強く安定した接続が再確立されるまで、持続的常時オンアプリケーションがさらなるデータを送信することを試みることを妨げることによって完了され得る。
【００３１】
ブロック３４０の次に、ブロック３５０で、その操作と互換性のある代替アクセス技術のリストを参照する。当業者は、そのリストがＵＥ内部またはＵＥ外部のメモリユニット内部に格納されるかもしれないということを理解するだろう。リストはＵＥ外部のメモリユニットに格納される場合、ＵＥは必要とされるようなリストを要求する。ブロック３６０で、代替無線ネットワークからリスト内の代替アクセス技術の１つを使用している代替信号を取得しようとすることを試みる、すなわちインター技術ハンドオフを試みる。当業者はＵＭＴＳ、ＷＣＤＭＡ、ＧＳＭ（登録商標）、ＧＳＭ（登録商標）ＧＰＲＳ／ＥＤＧＥ、LTE、IS−95、ＣＤＭＡ２０００、ＥＶＤＯ、ＵＭＢ、または無線ＬＡＮなどに限定されないが含んでいるアクセス技術の多くの例が、本開示の精神及び範囲に影響することなく図３に示される例に適用可能であるということを理解されるだろう。１つの側面で、持続的常時オンアプリケーションは受け入れ可能な代替無線ネットワークの選択を指定する。
【００３２】
ブロック３６０の試みの次に、ブロック３７０で代替信号への取得が成功しているかどうか決定する。もし、取得が成功しなければブロック３５０に戻り、そしてブロック３６０に戻る。あるいは、もし取得が成功しなければ、リスト上の代替アクセス技術の他の１つを使用しているさらに他の代替信号を取得することを試みるために、ブロック３６０に直接戻る。ブロック３７０で、もし代替信号への取得が成功すれば、ブロック３８０で、代替無線ネットワークで持続的常時オンアプリケーションを継続する（アプリケーションデータを送信するための再動作可能なフロー）。１つの側面で、図３のフロー図ステップのいくつかまたは全てはユーザ装置によって実行される。あるいは、ＵＥ２０１は図３に示されるフロー図ステップのいくつかまたは全てを実行する。当業者は図３のフロー図はリニアな方法で記述されているけれども、記述されたステップ及び機能性のいくつかは本開示の精神及び範囲に影響することなく交換可能ということを理解するだろう。
【００３３】
当業者はこの中で開示された例と関連して記述された様々な例示の部品、論理ブロック、モジュール、回路、及び/またはアルゴリズムステップは電子ハードウェア、ファームウェア、コンピュータソフトウェア、またはその組み合わせとして実行されるかもしれないということをさらに理解するだろう。ハードウェア、ファームウェア、及びソフトウェアのこの相互置換性を明確に例証するために、様々な例示の部品、ブロック、モジュール、回路、及び/またはアルゴリズムステップが、それらの機能性の観点から一般的に上述された。これらの機能性がハードウェア、ファームウェアまたはソフトウェアとして実行されるかどうかは、全体のシステムに課された設計制約及び特定のアプリケーションに依存する。当業者は各々の特定のアプリケーションに対して様々な方法で記述された機能性を実行するかもしれないが、このような実施の決定は本開示の精神または範囲からの逸脱を生じるように解釈されないだろう。
【００３４】
例えば、ハードウェア実装に関して、プロセッシングユニットは１つ以上の特定用途向け集積回路（ＡＳＩＣｓ）、デジタルシグナルプロセッサ（ＤＳＰｓ）、デジタル信号処理素子（ＤＳＰＤｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、その中で記述される機能を行うように設計された他の電子ユニット、またはその組み合わせ内部で実装されるかもしれない。ソフトウェアで、実装はこの中に記述された機能を行うモジュール（例えば、手順、機能など）を通してであるかもしれない。ソフトウェアコードは、メモリユニットに格納されるかもしれないし、プロセッサユニットによって実行されるかもしれない。さらに、この中に記述された様々な例示のフロー図、論理ブロック、モジュール、及び/またはアルゴリズムステップは、周知の任意のコンピュータ読取可能な媒体で搬送されたコンピュータ読取可能なインストラクションとして符号化もされるかもしれない。
【００３５】
１つの例で、この中に記述された例示の部品、フロー図、論理ブロック、モジュール及び/またはアルゴリズムステップは１つ以上のプロセッサで実施または実行される。１つの側面で、プロセッサは、この中に記述された様々なフロー図、論理ブロック、モジュール、及び/またはステップを実施または実行するために、プロセッサによって実行される、データ、メタデータ、プログラム命令などを格納するメモリと接続される。図４は、単一ＲＦチェーンを使用しているインター技術ハンドオフを容易にするために、スロットルしている持続的常時オンアプリケーションを実行するためのメモリ４２０と通信するプロセッサ４１０を具備する装置４００の１例を示す。１つの例で、装置４００は図３で例証されるアルゴリズムを実行するために使用される。１つの側面で、メモリ４２０はプロセッサ４１０内部に置かれる。あるいは、メモリ４２０はプロセッサ４１０の外部にある。
【００３６】
図５は単一ＲＦチェーン使用しているインター技術ハンドオフを容易にするための持続的常時オンアプリケーションをスロットルするために適切な装置５００の例を示す。１つの側面で、ブロック５１０、５２０、５３０、５４０、５５０、５６０、５７０、及び５８０でこの中に記述されるような単一ＲＦチェーンを使用しているインター技術ハンドオフを容易にするために持続的常時オンアプリケーションをスロットルすることの異なる側面を提供するように構成された１つ以上のモジュールを具備している少なくとも１つのプロセッサによって、装置５００は実現される。例えば、各々のモジュールはハードウェア、ファームウェア、ソフトウェア、またはその任意の組み合わせを具備する。１つの側面で、装置５００は少なくとも１つのプロセッサと通信する少なくとも１つのメモリによっても実現される。１つの例で、装置５００はユーザ装置である。あるいは、装置５００は図１に示されるＵＥ２０１である。
【００３７】
開示の側面の前の記述は、任意の当業者が本開示を製造または使用することを可能にするために提供される。これらの側面の様々な変形例が当業者にすでに明らかであるだろうし、この中で定義された本来の原理は開示の精神または範囲から逸脱することなく他の側面に適用されるかもしれない。
【図１】
2011530233.tif 000003
【図２】
2011530233.tif 000004
【図３】
2011530233.tif 000005
【図４】
2011530233.tif 000006
【図５】
2011530233.tif 000007
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
ホーム無線ネットワークからのインター技術ハンドオフを容易にするための方法であって、
ホーム信号のパラメータを閾値と比較すること、前記ホーム信号が持続的常時オンアプリケーションのデータセッションが確立される前記ホーム無線ネットワークからである、と、
前記持続的常時オンアプリケーションをスロットルすることと、
単一ＲＦチェーンを使用している第１の代替無線ネットワークから前記持続的常時オンアプリケーションに受け入れ可能な第１の代替信号を取得することを試みることと、
を具備する方法。
【請求項２】
前記閾値が、受信した信号レベル、受信した信号対ノイズ比、受信した干渉電力、全受信電力、経路損失、ビット誤り率、フレーム誤り率、またはパケット損失率の１つである請求項１記載の方法。
【請求項３】
前記第１の代替無線ネットワークが、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである第１のアクセス技術を使用する請求項１記載の方法。
【請求項４】
前記ホーム無線ネットワークが、前記第１のアクセス技術と異なる第２のアクセス技術を使用する請求項３記載の方法。
【請求項５】
前記第２のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項４記載の方法。
【請求項６】
前記ホーム信号を監視することをさらに具備している請求項１記載の方法。
【請求項７】
前記第１の代替信号が上手く取得されるかどうかを決定することをさらに具備する請求項１記載の方法。
【請求項８】
もし前記第１の代替信号が上手く取得されれば、前記第１の代替無線ネットワークからの前記持続的常時オンアプリケーションを継続することをさらに具備する請求項７記載の方法。
【請求項９】
もし前記第１の代替信号が上手く取得されなければ、取得される第２の代替信号を決定するために複数のアクセス技術を示しているリストを参照することをさらに具備する請求項７記載の方法。
【請求項１０】
ホーム無線ネットワークからのインター技術ハンドオフを容易にするための方法であって、
ホーム信号を監視すること、前記ホーム信号が持続的常時オンアプリケーションのデータセッションが確立される前記ホーム無線ネットワークからである、と、
前記ホーム信号のパラメータと閾値を比較することと、
前記持続的常時オンアプリケーションをスロットルすることと、
複数のアクセス技術を示しているリストを参照することと、
前記持続的常時オンアプリケーションに受け入れ可能な代替信号を取得すること、前記代替信号が前記複数のアクセス技術の１つを使用している代替無線ネットワークからである、と
を具備する方法。
【請求項１１】
前記代替無線ネットワークから前記持続的常時オンアプリケーションを継続することをさらに具備する請求項１０記載の方法。
【請求項１２】
前記ホーム無線ネットワークが第１のアクセス技術を使用し、前記代替無線ネットワークが前記第１のアクセス技術と異なる第２のアクセス技術を使用し、前記第１のアクセス技術はＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線LANの１つであり、前記第２の技術はＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項１１記載の方法。
【請求項１３】
プロセッサ及びメモリを具備するユーザ装置であって、
前記メモリが、
ホーム信号のパラメータを閾値と比較すること、前記ホーム信号が持続的常時オンアプリケーションのデータセッションが確立されるホーム無線ネットワークからである、と、
前記持続的常時オンアプリケーションをスロットルすることと、
単一ＲＦチェーンを使用している第１の代替無線ネットワークから前記持続的常時オンアプリケーションに受け入れ可能な第１の代替信号を取得することを試みることと
を実行するために前記プロセッサによって実行可能なプログラムコードを含んでいるユーザ装置。
【請求項１４】
前記閾値は、受信信号レベル、受信信号対ノイズ比、受信干渉電力、全受信電力、経路損失、ビット誤り率、フレーム誤り率、またはパケット損失率の１つである請求項１３記載のユーザ装置。
【請求項１５】
前記第１の代替無線ネットワークは、UMTS、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである第１のアクセス技術を使用する請求項１３記載のユーザ装置。
【請求項１６】
前記ホーム無線ネットワークは、前記第１のアクセス技術と異なる第２のアクセス技術を使用する請求項１５記載のユーザ装置。
【請求項１７】
前記第２のアクセス技術は、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項１６記載のユーザ装置。
【請求項１８】
前記メモリは、前記ホーム信号を監視するためのプログラムコードをさらに具備する請求項１３記載のユーザ装置。
【請求項１９】
前記メモリは、前記第１の代替信号が上手く取得されるかどうかを決定するためのプログラムコードをさらに具備する請求項１３記載のユーザ装置。
【請求項２０】
前記メモリが、もし前記第１の代替信号が上手く取得されれば、前記第１の代替無線ネットワークから前記持続的常時オンアプリケーションを継続するためのプログラムコードをさらに具備する請求項１９記載のユーザ装置。
【請求項２１】
前記メモリが、前記第１の代替信号が上手く取得されなかったら、第２の代替信号を決定するために複数のアクセス技術を示しているリストを参照するためのプログラムコードをさらに具備している請求項１９記載のユーザ装置。
【請求項２２】
プロセッサ及びメモリを具備するユーザ装置であって、
前記メモリが、
ホーム信号を監視すること、前記ホーム信号が持続的常時オンアプリケーションのデータセッションが確立されるホーム無線ネットワークからである、と、
前記ホーム信号のパラメータを閾値と比較することと、
前記持続的常時オンアプリケーションをスロットルすることと、
複数のアクセス技術を示しているリストを参照することと、
前記持続的常時オンアプリケーションに受け入れ可能な代替信号を取得すること、前記代替信号が前記複数のアクセス技術の１つを使用している代替無線ネットワークからである、と
を実行するために前記プロセッサによって実行されることができるプログラムコードを含んでいるユーザ装置。
【請求項２３】
前記ホーム無線ネットワークは第１のアクセス技術を使用し、
前記代替無線ネットワークは前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、CDMA2000、EVDO、UMB、または無線ＬＡＮの１つである請求項２２記載のユーザ装置。
【請求項２４】
前記第２のアクセス技術がＵＭＴＳ、ＷＣＤＭＡ、ＧＳＭ（登録商標）、ＧＳＭ（登録商標）／GPRS／EDGE、LTE、IS−95、ＣＤＭＡ２０００、ＥＶＤＯ、ＵＭＢ、または無線ＬＡＮの１つである請求項２３記載のユーザ装置。
【請求項２５】
ホーム無線ネットワークからインター技術ハンドオフを容易にするための通信装置であって、
ホーム信号のパラメータを閾値と比較するための手段、前記ホーム信号が持続的常時オンアプリケーションのデータセッションが確立される前記ホーム無線ネットワークからである、と、
前記持続的常時オンアプリケーションをスロットルするための手段と、
単一ＲＦチェーンを使用している第１の代替無線ネットワークから前記持続的常時オンアプリケーションに受け入れ可能な第１の代替信号を取得することを試みるための手段と
を具備する通信装置。
【請求項２６】
前記閾値が、受信した信号レベル、受信した信号対ノイズ比、受信した干渉電力、全受信電力、経路損失、ビット誤り率、フレーム誤り率、またはパケット損失率の１つである請求項２５記載の通信装置。
【請求項２７】
前記第１の代替無線ネットワークが第１のアクセス技術を使用し、
前記ホーム無線ネットワークが前記第１のアクセス技術と異なる第２のアクセス技術を使用し、
前記第２の代替無線ネットワークは、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである第１のアクセス技術を使用する請求項２５記載の通信装置。
【請求項２８】
前記第１の代替信号が上手く取得されたかどうかを決定するための手段をさらに具備する請求項２５記載の通信装置。
【請求項２９】
もし前記第１の代替信号が上手く取得されたならば、前記第１の代替無線ネットワークから持続的常時オンアプリケーションを継続するための手段をさらに具備する請求項２８記載の通信装置。
【請求項３０】
もし前記第１の代替信号が上手く取得されなかったならば、第２の代替信号を取得することを決定するための複数のアクセス技術を示しているリストを参照するための手段をさらに具備する請求項２８記載の通信装置。
【請求項３１】
ホーム無線ネットワークからのインター技術ハンドオフを容易にするための通信装置であって、
ホーム信号を監視するための手段、前記ホーム信号は持続的常時オンアプリケーションのデータセッションが確立される前記ホーム無線ネットワークからである、と、
前記ホーム信号のパラメータを閾値と比較するための手段と、
前記持続的常時オンアプリケーションをスロットルするための手段と、
複数のアクセス技術を示しているリストを参照するための手段と、
前記持続的常時オンアプリケーションに受け入れ可能な代替信号を取得するための手段、前記代替信号は前記複数のアクセス技術の１つを使用している代替無線ネットワークからである、と
を具備する通信装置。
【請求項３２】
前記ホーム無線ネットワークが第１のアクセス技術を使用し、
前記代替無線ネットワークが前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つであり、
前記第２のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項３１記載の通信装置。
【請求項３３】
格納されるプログラムコードを含んでいるコンピュータ読取可能な媒体であって、
ホーム信号のパラメータを閾値と比較するためのプログラムコード、前記ホーム信号は持続的常時オンアプリケーションのデータセッションが確立されるホーム無線ネットワークからである、と、
前記持続的常時オンアプリケーションをスロットルするためのプログラムコードと、
単一ＲＦチェーンを使用している第１の代替無線ネットワークから前記持続的常時オンアプリケーションに受け入れ可能な第１の代替信号を取得することを試みるためのプログラムコードと
を具備するコンピュータ読取可能な媒体。
【請求項３４】
前記閾値が、受信した信号レベル、受信した信号対ノイズ比、受信した干渉電力、全受信電力、経路損失、ビット誤り率、フレーム誤り率、またはパケット損失率の１つである請求項３３記載のコンピュータ読取可能な媒体。
【請求項３５】
前記ホーム無線ネットワークが第１のアクセス技術を使用し、
前記代替無線ネットワークが前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである
請求項３３記載のコンピュータ読取可能な媒体。
【請求項３６】
前記ホーム信号を監視するためのプログラムコードをさらに具備する請求項３３記載のコンピュータ読取可能な媒体。
【請求項３７】
前記第１の代替信号が上手く取得されたかどうかを決定するためのプログラムコードをさらに具備する請求項３３記載のコンピュータ読取可能な媒体。
【請求項３８】
もし前記第１の代替信号が上手く取得されれば、前記第１の代替無線ネットワークから前記持続的常時オンアプリケーションを継続するためのプログラムコードをさらに具備する請求項３７記載のコンピュータ読取可能な媒体。
【請求項３９】
もし前記第１の代替信号が上手く取得されなかったならば、第２の代替信号を取得することを決定するための複数のアクセス技術を示しているリストを参照するためのプログラムコードをさらに具備する請求項３７記載のコンピュータ読取可能な媒体。
【請求項４０】
格納されたプログラムコードを含んでいるコンピュータ読取可能な媒体であって、
ホーム信号を監視するためのプログラムコード、前記ホーム信号が、持続的常時オンアプリケーションのデータセッションが確立されるホーム無線ネットワークからである、と
前記ホーム信号のパラメータを閾値と比較するためのプログラムコードと、
前記持続的常時オンアプリケーションをスロットルするためのプログラムコードと、
複数のアクセス技術を示しているリストを参照するためのプログラムコードと、
前記持続的常時オンアプリケーションに受け入れ可能な代替信号を取得するためのプログラムコード、前記代替信号が前記複数のアクセス技術の１つを使用している代替無線ネットワークからである、と
を具備するコンピュータ読取可能な媒体。
【請求項４１】
前記ホーム無線ネットワークが第１のアクセス技術を使用し、
前記代替無線ネットワークが前記第１のアクセス技術と異なる第２のアクセス技術を使用し、
前記第１のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線LANの１つであり、
前記第２のアクセス技術が、ＵＭＴＳ、ＷＣＤＭＡ、ＧＳＭ（登録商標）、ＧＳＭ（登録商標）／ＧＰＲＳ／ＥＤＧＥ、LTE、IS−95、ＣＤＭＡ２０００、ＥＶＤＯ、ＵＭＢ、または無線ＬＡＮの１つである請求項４０記載のコンピュータ読取可能な媒体。
【国際調査報告】
2011530233.tif 000008
2011530233.tif 000009
2011530233.tif 000010